(57)【要約】      （修正有）【課題】台所モジュールやバスモジュールを備えながら設置撤去の作業に合わせて配管等の接続が簡単に行える移動式家屋を提供する。【解決手段】移動式家屋であって、躯体内に、台所モジュールと、トイレ、洗面台およびバスタブの３点を含むバスモジュールを設置し、かつ洗濯機置場を設けており、台所モジュールおよびバスモジュール用の給水内部配管３５、給湯内部配管３７、排水内部配管３８および汚水内部配管３６と、地上側の給水外部配管１３５、給湯外部配管１３７、排水外部配管１３８および汚水外部配管１３６との接続用空間４０が、洗濯機置場の床より下方の接続空間４０に設けられている。接続用空間４０が１カ所に集中しているので、接続離脱の作業が容易に行える。【選択図】図５
0003219303.tif 000002
【実用新案登録請求の範囲】
【請求項１】
底部フレームと、該底部フレーム上に取付けられた床部材および壁部材と、該壁部材の上に取付けられた屋根部材とからなる躯体を備えた移動式家屋であって、
前記躯体内に、台所モジュールと、バスモジュールを設置し、かつ洗濯機置場を設けており、
前記台所モジュールおよび前記バスモジュール用の給水内部配管、給湯内部配管、排水内部配管および汚水内部配管と、地上側の給水外部配管、給湯外部配管、排水外部配管および汚水外部配管との接続用空間が、前記洗濯機置場の床より下方の空間に設けられている
ことを特徴とする移動式家屋。
【請求項２】
前記給水内部配管、前記給湯内部配管および前記排水内部配管と、前記給水外部配管、前記給湯外部配管および前記排水外部配管が、前記接続用空間内で着脱自在な配管用接続具で接続可能とされている
ことを特徴とする請求項１記載の移動式家屋。
【請求項３】
前記汚水内部配管と前記汚水外部配管が、枡体と、該枡体に被せられる蓋とからなる汚水用接続具で接続可能とされている
ことを特徴とする請求項１記載の移動式家屋。
【考案の詳細な説明】
【技術分野】
【０００１】
本考案は、移動式家屋に関する。さらに詳しくは、運搬設置撤去が容易な移動式家屋に関する。
【背景技術】
【０００２】
従来から、イベントや工事現場での仮設住居として移動式家屋が用いられている。
特許文献１の従来技術は、壁部、屋根部、床部を組み立ててボックス状の住宅ユニットとした移動式簡易住宅であって、住宅ユニットの下面部には移動用の車輪が取り付けられており、また住宅ユニット内には各種電気器具、寝具、応接セット、浴室、トイレ等が装備されている。
そして、床下には空間部が形成されているとともに、その空間部内には電気器具の配線や浴室、トイレ等の配管の接続用端子が住宅ユニットの外部へ突出した状態で張りめぐらされている。
【０００３】
しかるに、この住宅ユニットでは、電気配線や水回りの配管が建物の外部に露出した状態で接続されることになるので、接続部分が風雨にさらされ、漏電や漏水の危険があった。また、汚水の処理は考えられていなかった。
【先行技術文献】
【特許文献】
【０００４】
【特許文献１】特開２００２−１２９７６１号公報
【考案の概要】
【考案が解決しようとする課題】
【０００５】
本考案は上記事情に鑑み、仮設住宅に必要な台所モジュールやバスモジュールを備えながら設置撤去の作業に合わせて配管等の接続が簡単に行え、漏水などの不都合が生じず、汚水の処理も確実に行える移動式家屋を提供することを目的とする。
【課題を解決するための手段】
【０００６】
第１考案の移動式家屋は、底部フレームと、該底部フレーム上に取付けられた床部材および壁部材と、該壁部材の上に取付けられた屋根部材とからなる躯体を備えた移動式家屋であって、前記躯体内に、台所モジュールと、バスモジュールを設置し、かつ洗濯機置場を設けており、前記台所モジュールおよび前記バスモジュール用の給水内部配管、給湯内部配管、排水内部配管および汚水内部配管と、地上側の給水外部配管、給湯外部配管、排水外部配管および汚水外部配管との接続用空間が、前記洗濯機置場の床より下方の空間に設けられていることを特徴とする。
第２考案の移動式家屋は、第１考案において、前記給水内部配管、前記給湯内部配管および前記排水内部配管と、前記給水外部配管、前記給湯外部配管および前記排水外部配管が、前記接続用空間内で着脱自在な配管用接続具で接続可能とされていることを特徴とする。
第３考案の移動式家屋は、第１考案において、前記汚水内部配管と前記汚水外部配管が、枡体と、該枡体に被せられる蓋とからなる汚水用接続具で接続可能とされていることを特徴とする。
【考案の効果】
【０００７】
第１考案によれば、洗濯機置場の床より下方の空間は洗濯機を置いた後も、置かない場合も家屋内での生活に関してはデッドスペースとなる空間であるので、ここを配管系の接続空間として選択する場合は、日常生活を全く妨げることはない。そして、接続用空間が１カ所に集中しているので、接続離脱の作業が容易に行える。
第２考案によれば、配管用接続具で簡単に着脱できるので、設置時の接続作業も撤去時の離脱作業も短時間で行える。
第３考案によれば、汚水用接続具の枡体に蓋を被せると汚水の臭気洩れを抑制でき、設置撤去時の接続離脱作業も短時間で行える。
【図面の簡単な説明】
【０００８】
【図１】本考案の一実施例係る移動式家屋Ａの平面図である。
【図２】図１のII−II線に沿う正面図である。
【図３】図１のIII−III線矢視図である。
【図４】台所モジュールおよびバスモジュールの拡大平面図である。
【図５】配管用接続具と汚水用接続具の説明図である。
【考案を実施するための形態】
【０００９】
つぎに、本考案の実施形態を図面に基づき説明する。
図１〜図３に基づき、本実施形態の移動式家屋Ａの基本構造を説明する。
移動式家屋Ａは、底部フレーム１とその上に組み付けられる躯体２とからなる。底部フレーム１はＨ形鋼を用いて外枠を長四角形に組み、かつ外枠の長辺同士を連結する梁をわたしたものである。この底部フレーム１によって、移動式家屋Ａ全体の強度を維持している。
【００１０】
躯体２は床３と４面の壁４と屋根５とからなる。床３、壁４および屋根５の材質や構造は任意であるが、本実施形態では、床３と壁４は木質、屋根５は軽金属板と便宜の骨組みで支えたものである。
【００１１】
移動式家屋Ａは地面ＧＬに予め形成されたコンクリート基礎Ｂの上に設置される。
移動式家屋Ａは予め組み立てられており、自動車で運搬され、クレーン等で吊り降ろして設置作業が行われる。撤去も同様にして行われる。
【００１２】
本実施形態の移動式家屋Ａにおいて、内装は任意である。
以下に図示のものを示す。
１１：玄関ドア
１２：玄関
１３：掃出し窓（アルミサッシ製）
１４：収納スペース
１５：窓（アルミサッシ製）
１６：洗濯機置場
２０：台所モジュール
３０：バスモジュール
【００１３】
台所モジュール２０は、商品名「ミニキッチン」として販売されている公知のものである。一般的には、シンク２１と加熱機器２２と水切り柵２３が備えられており、これに加えて、冷蔵庫スペースその他の設備が任意に付加される。
シンク２１には給水配管と給湯配管が接続され、排水配管も接続される。
【００１４】
バスモジュール３０は、トイレ３１と洗面台３２とバスタブ３３を有する、いわゆる３点ユニットと称されるモジュールである。
トイレ３１には給水内部配管３５と汚水内部配管３６が接続される。洗面台３２とバスタブ３３には給湯内部配管３７と排水内部配管３８がそれぞれ接続される。
【００１５】
洗濯機置場１６には、床１６ｆが設けられており、その下方空間が配管接続用の接続空間４０となっている。
この接続空間４０には、地上側の給水外部配管１３５、給湯外部配管１３７、排水外部配管１３８および汚水外部配管１３６が予め設備されている。
【００１６】
接続空間４０内では、各配管は各種の配管用接続具で接続される。
給水内部配管３５と給水外部配管１３５の間、給湯内部配管３７と給湯外部配管１３７の間、および排水内部配管３８と排水外部配管１３８との間は、それぞれ配管用接続具５０で連結される。
【００１７】
この配管用接続具５０は、着脱自在な機能さえあればどのような構造の継手類でも利用できる。なお、簡単に接続離脱作業が行える機能をもつ継手（商品名クイックジョイントなど）を用いれば、配管同士の接続離脱が迅速に行えるので好ましい。
【００１８】
汚水内部配管３６と汚水外部配管１３６とは、専用の汚水用接続具６０で接続される。
汚水用接続具６０は、たとえば、円筒形をなす枡６１とこれに被せられる蓋６２とからなる。枡６１に蓋６２を被せれば、汚水の臭いの拡散も防止できる。
【００１９】
洗濯機置場１６の床１６ｆより下方の接続空間４０は洗濯機を置いた後も、置かない場合も家屋内での生活に関してはデッドスペースとなる空間であるので、ここを配管系の接続空間４０として選択する場合は、日常生活を全く妨げることはない。そして、接続用空間４０が１カ所に集中しているので、各種配管の配管用接続具５０や汚水用接続具６０の接続離脱の作業を集中して行えるので、作業時間を短縮できる。
【００２０】
以上のように本実施形態の移動式家屋Ａでは、各種配管系の接続離脱を１カ所の接続空間で集中して行えるので、設置時の接続作業も撤去時の接続作業も短時間で行える。
【符号の説明】
【００２１】
Ａ  移動式家屋
１  底部フレーム
２  躯体
２０  台所モジュール
２１  シンク
３０  バスモジュール
３１  トイレ
３２  洗面台
３３  バスタブ
３５  給水内部配管
３６  汚水内部配管
３７  給湯内部配管
３８  排水内部配管
５０  配管用接続具
６０  汚水用接続具
【図１】
0003219303.tif 000003
【図２】
0003219303.tif 000004
【図３】
0003219303.tif 000005
【図４】
0003219303.tif 000006
【図５】
0003219303.tif 000007